(57)【要約】      （修正有）【課題】本発明は、名刺を名刺入れに収容する際に、名刺の提供者に関連する情報を取得できるようにする。【解決手段】本発明の一実施形態に係る名刺管理システムＳは、複数の名刺を重ねて収容可能な収容部と、収容部に収容されている名刺の画像を読み取る読取部と、を有する名刺入れ１００と、読取部が読み取った名刺の画像から取得した文字情報に関連する付加情報を表示部に表示させる名刺管理装置２００と、を備える。付加情報は、名刺の画像から取得した文字情報に関連する過去に取得された文字情報を示す履歴情報と、名刺の画像から取得した文字情報と名刺入れ１００のユーザとの間の共通点を示す共通点情報との少なくとも一方を含む。【選択図】図１
2020100146.tif 000002
【特許請求の範囲】
【請求項１】
名刺入れと、表示制御装置とを有し、
前記名刺入れは、
複数の名刺を重ねて収容可能な収容部と、
前記収容部に収容されている前記名刺の画像を読み取る読取部と、
を備え、
前記表示制御装置は、前記読取部が読み取った前記名刺の画像から取得した文字情報に関連する付加情報を表示部に表示させる、名刺管理システム。
【請求項２】
前記表示制御装置は、前記名刺の画像から前記文字情報を取得し、取得した前記文字情報に基づいて前記付加情報を取得する制御部を備える、請求項１に記載の名刺管理システム。
【請求項３】
前記表示制御装置は、前記名刺の画像と前記文字情報とを関連付けて記憶する記憶部をさらに備え、
前記制御部は、前記読取部が読み取った前記名刺の画像と、前記記憶部に記憶された前記名刺の画像とを比較し、前記読取部が読み取った前記名刺の画像に類似する前記記憶部に記憶された前記名刺の画像に関連付けられた前記文字情報を取得する、請求項２に記載の名刺管理システム。
【請求項４】
前記制御部は、前記読取部が読み取った前記名刺の画像に類似する前記名刺の画像が前記記憶部に記憶されていない場合に、前記読取部が読み取った前記名刺の画像に対して文字認識処理を行うことによって前記文字情報を取得する、請求項３に記載の名刺管理システム。
【請求項５】
前記制御部は、前記名刺の画像から取得した前記文字情報に関連する、過去に取得された文字情報を示す履歴情報を、前記付加情報として取得する、請求項２から４のいずれか一項に記載の名刺管理システム。
【請求項６】
前記表示制御装置は、過去に取得された前記文字情報を記憶する記憶部をさらに備え、
前記制御部は、前記記憶部に記憶された過去に取得された前記文字情報のうち、前記名刺の画像から取得した前記文字情報の少なくとも一部を含む過去に取得された前記文字情報を、前記履歴情報として取得する、請求項５に記載の名刺管理システム。
【請求項７】
前記制御部は、前記名刺の画像から取得した前記文字情報と、前記名刺入れのユーザとの間の共通点を示す共通点情報を、前記付加情報として取得する、請求項２から６のいずれか一項に記載の名刺管理システム。
【請求項８】
前記制御部は、前記名刺の画像から取得した前記文字情報に基づいて取得した属性と、前記名刺入れのユーザの属性とのうち少なくとも一部が一致している場合に、一致している部分を前記共通点情報として取得する、請求項７に記載の名刺管理システム。
【請求項９】
前記表示制御装置は、前記名刺入れに関連付けられた第１ユーザのプロフィール情報と、前記読取部が読み取った前記名刺に関連付けられた第２ユーザのプロフィール情報とを記憶する記憶部をさらに備え、
前記制御部は、前記第２ユーザの前記プロフィール情報のうち、前記第１ユーザの前記プロフィール情報と共通の情報を、共通点情報として取得する、請求項２から６のいずれか一項に記載の名刺管理システム。
【請求項１０】
前記制御部は、前記第１ユーザの前記名刺入れが前記第２ユーザの名刺を読み取った時刻と、前記第２ユーザの前記名刺入れが前記第１ユーザの名刺を読み取った時刻との間の差が所定時間以内である場合に、前記共通点情報を取得する、請求項９に記載の名刺管理システム。
【請求項１１】
前記読取部が前記名刺の画像を読み取る際に前記第１ユーザ及び前記第２ユーザがそれぞれ前記名刺入れにおいて行った操作が所定の条件を満たす場合に、前記共通点情報を取得する、請求項９又は１０に記載の名刺管理システム。
【請求項１２】
前記制御部は、前記文字情報に含まれる宛先にメッセージを送信する、請求項２から１１のいずれか一項に記載の名刺管理システム。
【請求項１３】
前記表示制御装置は、前記名刺入れに設けられている表示部、又は前記名刺入れと通信可能な通信端末に設けられている表示部に前記付加情報を表示させる、請求項１から１２のいずれか一項に記載の名刺管理システム。
【請求項１４】
複数の名刺を重ねて収容可能な収容部と、
前記収容部に収容されている前記名刺の画像を読み取る読取部と、
前記読取部が読み取った前記名刺の画像から取得した文字情報に関連する付加情報を表示する表示部と、
を有する名刺入れ。
【請求項１５】
前記画像を外部に送信する送信部と、
前記文字情報及び前記付加情報を外部から受信する受信部と、
をさらに有する、請求項１４に記載の名刺入れ。
【発明の詳細な説明】
【技術分野】
【０００１】
本発明は、名刺の情報を管理するための名刺管理システム及び名刺入れに関する。
【背景技術】
【０００２】
ビジネス等の場において、初対面の人同士で名刺交換を行う慣習がある。多数の相手と名刺交換を行うと、後から名刺を見返した際にそれぞれの名刺をどのような相手から受け取ったかを思い出すことが難しい場合がある。
【０００３】
特許文献１には、名刺交換を行った際に相手の顔及び名刺を撮像するカメラを有し、名刺の画像と顔の画像とを関連付けて記録及び表示できる名刺入れが記載されている。特許文献１に記載の技術によれば、名刺交換の場で相手の顔を記録できるため、後から相手を思い出す手助けとなり得る。
【先行技術文献】
【特許文献】
【０００４】
【特許文献１】特開２００３−２８３８９５号公報
【発明の概要】
【発明が解決しようとする課題】
【０００５】
しかしながら、特許文献１に記載の技術は、名刺の画像と相手の顔の画像とを関連付けて記録するのみであるため、名刺の内容を取得するものではない。名刺交換の場で、単に名刺を記録するだけでなく、相手に関連する情報を取得できると便利である。
【０００６】
本発明はこれらの点に鑑みてなされたものであり、名刺を名刺入れに収容する際に、名刺の提供者に関連する情報を取得できる名刺管理システム及び名刺入れを提供することを目的とする。
【課題を解決するための手段】
【０００７】
本発明の第１の態様の名刺管理システムは、名刺入れと、表示制御装置とを有し、前記名刺入れは、複数の名刺を重ねて収容可能な収容部と、前記収容部に収容されている前記名刺の画像を読み取る読取部と、を備え、前記表示制御装置は、前記読取部が読み取った前記名刺の画像から取得した文字情報に関連する付加情報を表示部に表示させる。
【０００８】
前記表示制御装置は、前記名刺の画像から前記文字情報を取得し、取得した前記文字情報に基づいて前記付加情報を取得する制御部を備えてもよい。
【０００９】
前記表示制御装置は、前記名刺の画像と前記文字情報とを関連付けて記憶する記憶部をさらに備え、前記制御部は、前記読取部が読み取った前記名刺の画像と、前記記憶部に記憶された前記名刺の画像とを比較し、前記読取部が読み取った前記名刺の画像に類似する前記記憶部に記憶された前記名刺の画像に関連付けられた前記文字情報を取得してもよい。
【００１０】
前記制御部は、前記読取部が読み取った前記名刺の画像に類似する前記名刺の画像が前記記憶部に記憶されていない場合に、前記読取部が読み取った前記名刺の画像に対して文字認識処理を行うことによって前記文字情報を取得してもよい。
【００１１】
前記制御部は、前記名刺の画像から取得した前記文字情報に関連する、過去に取得された文字情報を示す履歴情報を、前記付加情報として取得してもよい。
【００１２】
前記表示制御装置は、過去に取得された前記文字情報を記憶する記憶部をさらに備え、前記制御部は、前記記憶部に記憶された過去に取得された前記文字情報のうち、前記名刺の画像から取得した前記文字情報の少なくとも一部を含む過去に取得された前記文字情報を、前記履歴情報として取得してもよい。
【００１３】
前記制御部は、前記名刺の画像から取得した前記文字情報と、前記名刺入れのユーザとの間の共通点を示す共通点情報を、前記付加情報として取得してもよい。
【００１４】
前記制御部は、前記名刺の画像から取得した前記文字情報に基づいて取得した属性と、前記名刺入れのユーザの属性とのうち少なくとも一部が一致している場合に、一致している部分を前記共通点情報として取得してもよい。
【００１５】
前記表示制御装置は、前記名刺入れに関連付けられた第１ユーザのプロフィール情報と、前記読取部が読み取った前記名刺に関連付けられた第２ユーザのプロフィール情報とを記憶する記憶部をさらに備え、前記制御部は、前記第２ユーザの前記プロフィール情報のうち、前記第１ユーザの前記プロフィール情報と共通の情報を、共通点情報として取得してもよい。
【００１６】
前記制御部は、前記第１ユーザの前記名刺入れが前記第２ユーザの名刺を読み取った時刻と、前記第２ユーザの前記名刺入れが前記第１ユーザの名刺を読み取った時刻との間の差が所定時間以内である場合に、前記共通点情報を取得してもよい。
【００１７】
前記読取部が前記名刺の画像を読み取る際に前記第１ユーザ及び前記第２ユーザがそれぞれ前記名刺入れにおいて行った操作が所定の条件を満たす場合に、前記共通点情報を取得してもよい。
【００１８】
前記制御部は、前記文字情報に含まれる宛先にメッセージを送信してもよい。
【００１９】
前記表示制御装置は、前記名刺入れに設けられている表示部、又は前記名刺入れと通信可能な通信端末に設けられている表示部に前記付加情報を表示させてもよい。
【００２０】
本発明の第２の態様の名刺入れは、複数の名刺を重ねて収容可能な収容部と、前記収容部に収容されている前記名刺の画像を読み取る読取部と、前記読取部が読み取った前記名刺の画像から取得した文字情報に関連する付加情報を表示する表示部と、を有する。
【００２１】
前記名刺入れは、前記画像を外部に送信する送信部と、前記文字情報及び前記付加情報を外部から受信する受信部と、をさらに有してもよい。
【発明の効果】
【００２２】
本発明によれば、名刺を名刺入れに収容する際に、名刺の提供者に関連する情報を取得できるという効果を奏する。
【図面の簡単な説明】
【００２３】
【図１】第１の実施形態に係る名刺管理システムの模式図である。
【図２】第１の実施形態に係る名刺入れの外観図である。
【図３】第１の実施形態に係る名刺入れに名刺を入れた状態での断面図である。
【図４】第１の実施形態に係る名刺入れの機能構成を示すブロック図である。
【図５】第１の実施形態に係る名刺管理装置のブロック図である。
【図６】文字情報を表示している状態の名刺入れの表示部の前面図である。
【図７】履歴情報及び共通点情報を表示している状態の名刺入れの表示部の前面図である。
【図８】第１の実施形態に係る名刺管理装置が名刺の提供者へ送信するメッセージの模式図である。
【図９】第１の実施形態に係る名刺管理システムが行う名刺管理方法のシーケンス図である。
【図１０】第１の実施形態の変形例に係る名刺管理システムの模式図である。
【図１１】記憶部に記憶されているユーザのプロフィール情報の模式図である。
【図１２】第２の実施形態に係る名刺管理装置のブロック図である。
【図１３】記憶部に記憶されているユーザの名刺の画像を示す図である。
【図１４】文字情報及び付加情報を表示している状態の名刺入れの表示部の前面図である。
【図１５】第２の実施形態に係る名刺管理装置が行う名刺管理方法のフローチャートを示す図である。
【発明を実施するための形態】
【００２４】
（第１の実施形態）
［名刺管理システムＳの概要］
図１は、本実施形態に係る名刺管理システムＳの模式図である。名刺管理システムＳは、名刺入れ１００と、名刺管理装置２００とを含む。名刺管理システムＳは、その他のサーバ、端末等の機器を含んでもよい。
【００２５】
名刺入れ１００は、複数の名刺を重ねて収容可能な名刺入れ（カードケースともいう）である。名刺入れ１００は、収容した名刺の表面を撮像するとともに、撮像した名刺に係る情報を表示する。また、名刺入れ１００は、ネットワークＮとの間で無線通信可能に構成されている。
【００２６】
名刺管理装置２００は、名刺に係る情報を管理するコンピュータである。また、名刺管理装置２００は、名刺の画像から文字情報を取得するとともに、取得した文字情報に関連する付加情報を取得し、それらの情報を名刺入れ１００の表示部に表示させる制御を行う表示制御装置である。文字情報は、名刺に記載された情報であり、例えば氏名、所属、電話番号及びメールアドレス等の個人情報を含む。付加情報は、名刺の画像から取得した文字情報に関連する情報であり、例えば今回取得した文字情報に関連する過去に記憶された文字情報を示す履歴情報と、文字情報と名刺入れ１００のユーザとの間の共通点を示す共通点情報との少なくとも一方を含む。名刺管理装置２００は、有線又は無線でネットワークＮに接続される。
【００２７】
［名刺入れ１００の外観］
図２は、本実施形態に係る名刺入れ１００の外観図である。図２（ａ）は名刺入れ１００が閉じた状態を示しており、図２（ｂ）は名刺入れ１００が開いた状態を示している。名刺入れ１００は、筐体１０１と、収容部１０３とを有する。
【００２８】
筐体１０１上には、収容部１０３を回動可能に支持する支持部１０２が設けられている。支持部１０２を基点として収容部１０３を回動させることによって、名刺入れ１００を開いた状態と閉じた状態との間で切り替えることができる。名刺入れ１００が閉じた状態では、収容部１０３は、筐体１０１に対して略平行に支持される。名刺入れ１００が開いた状態では、収容部１０３は、筐体１０１に対して１８０度未満の所定の角度に支持される。
【００２９】
収容部１０３は、筐体１０１の蓋として機能するとともに、複数の名刺を重ねて収容することができる。収容部１０３には名刺入れ１００の内側と外側とを連通させる貫通孔１０４が設けられている。
【００３０】
筐体１０１は、制御部１１０と、読取部１２０と、表示部１３０とを支持する。読取部１２０は、収容部１０３に収容されている名刺を撮像して読み取るカメラ、スキャナ等の撮像装置を含む。読取部１２０は、撮像した内容を画像として制御部１１０に渡す。
【００３１】
名刺入れ１００は、収容部１０３に収容されている名刺に対して赤外線（赤外光）を照射するＬＥＤ等の発光部をさらに有してもよい。この場合に、読取部１２０は、赤外線を受光可能な撮像装置（例えば赤外線カメラ）を含む。発光部は、読取部１２０が名刺を読み取る際に、名刺に対して赤外線を照射する。これにより読取部１２０は、撮像環境が暗くて十分な光量が得られない状況下や、撮像環境が明るすぎて名刺の文字を正しく読み取れない状況下でも、高精度に名刺を読み取ることができる。
【００３２】
表示部１３０は、読取部１２０が読み取った名刺に係る情報を表示する、液晶ディスプレイ、有機エレクトロルミネッセンス（OLED: Organic Light Emitting Diode）ディスプレイ等の表示装置を含む。表示部１３０は、ユーザによる接触の位置を検出可能なタッチスクリーンを用いて、操作部として機能するように構成されてもよい。
【００３３】
制御部１１０は、読取部１２０及び表示部１３０に電気的に接続されており、それらの作動を制御する。制御部１１０の機能については後述する。
【００３４】
図３は、本実施形態に係る名刺入れ１００に名刺Ｃを入れた状態でのＡ−Ａ線断面図である。名刺入れ１００が開いた状態において、収容部１０３は、名刺入れ１００が閉じた状態であって収容部１０３が筐体１０１に対して平行な状態を０度としたとき、筐体１０１に対して０度より大きく１８０度未満の所定の角度に支持されている。
【００３５】
収容部１０３に収容されている名刺が筐体１０１に対して急な角度に支持されていると、読取部１２０によって取得される画像の歪みが大きくなり、画像から文字情報を正しく取得できない場合がある。そこで名刺の画像から文字情報を取得する精度を向上させるために、収容部１０３は、好ましくは筐体１０１に対して９０度以上、１５０度以下の所定の角度に支持される。
【００３６】
ユーザは、不図示のボタン又はタッチスクリーンである表示部１３０を操作することによって、読取部１２０に撮像を行わせる。読取部１２０は、収容部１０３に収容されている名刺Ｃのうち最も内側（すなわち読取部１２０に近い側）の名刺Ｃ１を撮像し、撮像した内容を画像として制御部１１０に渡す。そして表示部１３０は、読取部１２０が読み取った名刺Ｃ１に係る情報を表示する。
【００３７】
このような構成により、名刺入れ１００は収容部１０３に収容された状態の名刺を読み取ることができるため、相手から名刺を受け取って名刺入れ１００に仕舞う動作の一環で名刺に係る情報を取得することができる。そのため、読み取りのためにわざわざ名刺を出し入れする必要がない。
【００３８】
収容部１０３に収容されている名刺Ｃのうち最も外側（すなわち収容部１０３に近い側）の名刺Ｃ２は、収容部１０３上の貫通孔１０４に面している。ユーザは、収容部１０３に収容されている名刺Ｃ２に貫通孔１０４を介して触れてスライドさせることによって、名刺Ｃ２を収容部１０３から取り出すことができる。
【００３９】
ユーザは、自身の名刺を収容部１０３に収容しておく。名刺交換の際に、ユーザは、最も外側の名刺Ｃ２を自身の名刺として取り出して相手に渡すとともに、相手から受け取った名刺を収容部１０３の最も内側に入れる。これにより、最も内側の名刺Ｃ１は相手の名刺となり、読取部１２０による読み取りが可能になる。
【００４０】
このとき、収容部１０３から１枚の自身の名刺が取り出されると同時に、収容部１０３に１枚の相手の名刺が追加される。すなわち、収容部１０３は、自身の名刺と相手の名刺とで共用されるように構成されている。これにより、読取部１２０と最も内側の名刺Ｃ１（すなわち相手の名刺）との間の距離が一定に保たれるため、画像が撮像される条件の変化を抑え、画像から文字情報を取得する精度を向上させることができる。
【００４１】
［名刺入れ１００の構成］
図４は、本実施形態に係る名刺入れ１００の機能構成を示すブロック図である。図４において、矢印は主なデータの流れを示しており、図４に示していないデータの流れがあってよい。図４において、各ブロックはハードウェア（装置）単位の構成ではなく、機能単位の構成を示している。そのため、図４に示すブロックは単一の装置内に実装されてよく、あるいは複数の装置内に別れて実装されてよい。ブロック間のデータの授受は、データバス、ネットワーク、可搬記憶媒体等、任意の手段を介して行われてよい。
【００４２】
名刺入れ１００は、上述の制御部１１０、読取部１２０及び表示部１３０に加えて、操作部１４０と、記憶部１５０と、通信部１６０とを有する。
【００４３】
通信部１６０は、ネットワークＮを介して名刺管理装置２００との間で通信をするための通信インターフェースである。通信部１６０は、無線通信を実行するためのアンテナ、プロセッサ、電気回路等を含む。通信部１６０は、外部から受信した通信信号に所定の処理を行ってデータを取得し、取得したデータを制御部１１０に入力する。また、通信部１６０は、制御部１１０から入力されたデータに所定の処理を行って通信信号を生成し、生成した通信信号を外部に送信する。
【００４４】
操作部１４０は、ユーザによる操作を受け付けるためのボタン、スイッチ、ダイヤル等の部材を含む。表示部１３０としてユーザによる接触の位置を検出可能なタッチスクリーンを用いることによって、表示部１３０と操作部１４０とを一体に構成してもよい。
【００４５】
記憶部１５０は、ＲＯＭ（Read Only Memory）、ＲＡＭ（Random Access Memory）等を含む記憶媒体である。記憶部１５０は、制御部１１０が実行するプログラムを予め記憶している。
【００４６】
制御部１１０は、例えばＣＰＵ（Central Processing Unit）等のプロセッサであり、記憶部１５０に記憶されたプログラムを実行することにより、読取制御部１１１、画像送信部１１２、文字情報受信部１１３、付加情報受信部１１４及び表示制御部１１５として機能する。制御部１１０の機能の少なくとも一部は、電気回路によって実行されてもよい。また、制御部１１０の機能の少なくとも一部は、ネットワーク経由で実行されるプログラムによって実行されてもよい。
【００４７】
読取制御部１１１は、読取部１２０に名刺を撮像して読み取らせる制御を行う。読取制御部１１１は、読取部１２０が撮像した内容を画像として取得し、記憶部１５０に記憶させる。画像送信部１１２は、読取部１２０が読み取った名刺の画像を記憶部１５０から読み出し、通信部１６０を介して名刺管理装置２００に送信する。
【００４８】
文字情報受信部１１３は、名刺管理装置２００において名刺の画像から読み取られた文字情報を、通信部１６０を介して受信し、記憶部１５０に記憶させる。付加情報受信部１１４は、名刺の画像から読み取られた文字情報に関連する付加情報を、通信部１６０を介して受信し、記憶部１５０に記憶させる。文字情報及び付加情報の内容については後述する。
【００４９】
表示制御部１１５は、文字情報受信部１１３及び付加情報受信部１１４が受信した文字情報及び付加情報を、表示部１３０に表示する制御を行う。
【００５０】
本実施形態に係る名刺入れ１００は、図４に示す具体的な構成に限定されない。名刺入れ１００は、１つの装置に限られず、２つ以上の物理的に分離した装置が有線又は無線で接続されることにより構成されてもよい。
【００５１】
［名刺管理装置２００の構成］
図５は、本実施形態に係る名刺管理装置２００のブロック図である。図５において、矢印は主なデータの流れを示しており、図５に示していないデータの流れがあってよい。図５において、各ブロックはハードウェア（装置）単位の構成ではなく、機能単位の構成を示している。そのため、図５に示すブロックは単一の装置内に実装されてよく、あるいは複数の装置内に別れて実装されてよい。ブロック間のデータの授受は、データバス、ネットワーク、可搬記憶媒体等、任意の手段を介して行われてよい。
【００５２】
名刺管理装置２００は、制御部２１０と、記憶部２５０と、通信部２６０とを有する。通信部２６０は、ネットワークＮを介して名刺入れ１００との間で通信をするための通信インターフェースである。通信部２６０は、通信を実行するためのプロセッサ、コネクタ、電気回路等を含む。通信部２６０は、外部から受信した通信信号に所定の処理を行ってデータを取得し、取得したデータを制御部２１０に入力する。また、通信部２６０は、制御部２１０から入力されたデータに所定の処理を行って通信信号を生成し、生成した通信信号を外部に送信する。
【００５３】
記憶部２５０は、ＲＯＭ、ＲＡＭ、ハードディスクドライブ等を含む記憶媒体である。記憶部２５０は、制御部２１０が実行するプログラムを予め記憶している。
【００５４】
制御部２１０は、例えばＣＰＵ等のプロセッサであり、記憶部２５０に記憶されたプログラムを実行することにより、画像受信部２１１、文字情報取得部２１２、付加情報取得部２１３及び情報送信部２１４として機能する。制御部２１０の機能の少なくとも一部は、電気回路によって実行されてもよい。また、制御部２１０の機能の少なくとも一部は、ネットワーク経由で実行されるプログラムによって実行されてもよい。
【００５５】
画像受信部２１１は、名刺入れ１００から送信された名刺の画像を、通信部２６０を介して受信し、記憶部２５０に記憶させる。文字情報取得部２１２は、画像受信部２１１が受信した名刺の画像を記憶部２５０から読み出し、読み出した画像から名刺に記載された文字を示す文字情報を取得する。
【００５６】
具体的には、まず文字情報取得部２１２は、記憶部１５０から読み出した画像を、文字が認識できるように補正する。本実施形態に係る名刺入れ１００において、読取部１２０は収容部１０３に収容された名刺を斜め方向から撮像するため、台形歪みが発生する。図３を用いて説明したように、収容部１０３は筐体１０１に対して所定の角度に支持されており、かつ収容部１０３に収容された名刺と読取部１２０との間の距離は一定である。名刺入れ１００の構成に対応する角度及び距離は、予め名刺管理装置２００に設定される。文字情報取得部２１２は、筐体１０１に対する収容部１０３の角度と、収容部１０３に収容された名刺と読取部１２０との間の距離とに基づいて、名刺の画像に対して台形補正を行う。
【００５７】
このように本実施形態では既知の角度及び距離を用いて名刺の画像を補正できるため、撮像条件が不明な状態で補正を行う場合よりも、高精度に文字情報を取得することができる。文字情報取得部２１２は、補正を行わなくても文字情報を取得できる場合には、補正を省略してもよい。
【００５８】
そして文字情報取得部２１２は、補正された名刺の画像から文字情報を取得し、取得時刻（登録時刻）とともに記憶部２５０に記憶させる。画像から文字情報を取得するために、ＯＣＲ（光学的文字認識）等の公知の文字認識技術を用いることができる。
【００５９】
文字情報は、例えば名刺に記載された氏名、所属（すなわち法人名、団体名、学校名等）、電話番号及びメールアドレス等の個人情報を含む。また個人情報に加えて経歴、ＳＮＳ（ソーシャル・ネットワーキング・サービス）上の識別情報等の情報が名刺に記載されている場合には、文字情報取得部２１２はそれらの情報を文字情報として取得してもよい。
【００６０】
名刺の画像からの文字情報の取得は、名刺入れ１００の制御部１１０によって行われてもよい。この場合には、文字情報取得部２１２は、文字情報を名刺入れ１００から受信することによって、文字情報を取得する。
【００６１】
付加情報取得部２１３は、文字情報取得部２１２が文字情報を取得できた場合に、文字情報取得部２１２が取得した文字情報に基づいて、文字情報に関連する付加情報を取得する。
【００６２】
付加情報は、文字情報取得部２１２が今回取得した文字情報に関連する過去に記憶された文字情報を示す履歴情報と、文字情報取得部２１２が今回取得した文字情報と名刺入れ１００のユーザとの間の共通点を示す共通点情報との少なくとも一方を含む。
【００６３】
履歴情報として、付加情報取得部２１３は、記憶部２５０に過去に記憶された文字情報のうち、文字情報取得部２１２が今回取得した文字情報の少なくとも一部（例えば所属又はメールアドレスのドメイン名）を含む過去の文字情報を取得する。履歴情報は、過去の文字情報が記憶部２５０に記憶（登録）された時刻を含むことが望ましい。
【００６４】
共通点情報として、付加情報取得部２１３は、文字情報取得部２１２が取得した文字情報に基づいて、名刺の提供者の属性と名刺入れ１００のユーザの属性との共通点を検出して取得する。共通点を検出するための属性は、例えば学校や職業の経歴、趣味、居住地等を含む。名刺入れ１００のユーザの属性は、予め名刺管理装置２００に設定される。
【００６５】
共通点を検出するために、付加情報取得部２１３は、文字情報取得部２１２が取得した文字情報から、名刺の提供者の属性を取得してもよい。名刺によっては、提供者の経歴、趣味等の属性が記載されていることがある。この場合に、付加情報取得部２１３は、文字情報取得部２１２が取得した文字情報から名刺の提供者の属性を取得する。そして付加情報取得部２１３は、文字情報から取得した名刺の提供者の属性と、予め設定された名刺入れ１００のユーザの属性との間で少なくとも一致する部分を検出することによって、共通点情報を取得する。
【００６６】
共通点を検出するために、付加情報取得部２１３は、ＳＮＳ等の外部システムから、名刺の提供者の属性を取得してもよい。この場合に、付加情報取得部２１３は、文字情報取得部２１２が取得した文字情報に含まれる個人情報（例えば氏名及び所属）を用いてＳＮＳを検索することによって、ＳＮＳ上の名刺の提供者の属性を取得する。また、名刺にＳＮＳの識別情報（アカウント名等）が記載されている場合には、付加情報取得部２１３は、該識別情報を用いてＳＮＳを検索してもよい。
【００６７】
そして付加情報取得部２１３は、ＳＮＳ等の外部システムから取得した名刺の提供者の属性と、予め設定された名刺入れ１００のユーザの属性との間で少なくとも一部が一致する部分を検出することによって、共通点情報を取得する。
【００６８】
情報送信部２１４は、文字情報取得部２１２及び付加情報取得部２１３が取得した文字情報及び付加情報を、通信部２６０を介して名刺入れ１００に送信する。また、情報送信部２１４は、文字情報取得部２１２が文字情報を取得できなかった場合に、その旨を示す情報を、通信部２６０を介して名刺入れ１００に送信する。
【００６９】
図６は、文字情報を表示している状態の名刺入れ１００の表示部１３０の前面図である。名刺入れ１００は、名刺管理装置２００から文字情報取得部２１２が取得した文字情報を受信した場合に、表示部１３０に読み取りに成功したことを示すメッセージ１３１と、受信した文字情報１３２とを表示させる。また、名刺入れ１００は、名刺管理装置２００から文字情報を取得できなかったことを示す情報を受信した場合に、表示部１３０に読み取りに失敗したことを示すメッセージを表示させてもよい。
【００７０】
図７（ａ）は、履歴情報を表示している状態の名刺入れ１００の表示部１３０の前面図である。名刺入れ１００は、名刺管理装置２００から付加情報としての履歴情報を受信した場合に、履歴情報が存在することを示すメッセージ１３３と、受信した履歴情報１３４とを表示させる。これにより名刺入れ１００のユーザは、今回読み取った名刺の提供者と同じ所属の人から過去に名刺を受け取っていた場合に、その旨を知ることができる。
【００７１】
名刺入れ１００は、名刺入れ１００のユーザと同じ所属の人が今回読み取った名刺の提供者から過去に名刺を受け取っていた場合に、その旨を表示部１３０上に表示してもよい。この場合に、名刺管理装置２００の記憶部２５０は、複数のユーザが有する複数の名刺入れ１００が読み取った名刺の文字情報を、該名刺を読み取った名刺入れ１００を有するユーザに関連付けて記憶する。また、記憶部２５０は、名刺入れ１００を有する各ユーザの氏名、所属等の個人情報を予め記憶する。
【００７２】
名刺管理装置２００の付加情報取得部２１３は、文字情報取得部２１２が今回取得した文字情報が記憶部２５０に既に記憶されている場合に、該文字情報に関連付けられた（すなわち過去に同じ相手から名刺を受け取った）他のユーザを特定する。付加情報取得部２１３は、特定した他のユーザの個人情報と、名刺入れ１００のユーザの個人情報とを、記憶部２５０から取得する。
【００７３】
付加情報取得部２１３は、名刺入れ１００のユーザ及び他のユーザの所属（会社名、部署名等）が同じであることを記憶部２５０から取得した個人情報が示している場合に、他のユーザの個人情報を、履歴情報として情報送信部２１４に渡す。情報送信部２１４は、付加情報取得部２１３が取得した履歴情報を、通信部２６０を介して名刺入れ１００に送信する。
【００７４】
名刺入れ１００は、名刺管理装置２００から履歴情報として他のユーザの個人情報を受信した場合に、受信した他のユーザの個人情報を表示部１３０上に表示する。これにより名刺入れ１００のユーザは、名刺入れ１００のユーザと同じ所属の他のユーザが今回読み取った名刺の提供者から過去に名刺を受け取っていた場合に、その旨を知ることができる。
【００７５】
図７（ｂ）は、共通点情報を表示している状態の名刺入れ１００の表示部１３０の前面図である。名刺入れ１００は、名刺管理装置２００から付加情報としての共有点情報を受信した場合に、共通点が存在することを示すメッセージ１３５と、受信した共通点情報１３６とを表示させる。これにより名刺入れ１００のユーザは、今回読み取った名刺の提供者と自身の間に共通点が存在する場合に、共通点の内容を知ることができる。
【００７６】
付加情報取得部２１３が付加情報として履歴情報及び共通点情報の両方を取得した場合に、名刺入れ１００は、ユーザによる操作又は時間経過に応じて履歴情報と共通点情報とを切り替えて表示部１３０に表示させてもよい。
【００７７】
さらに情報送信部２１４は、文字情報取得部２１２が取得した文字情報に名刺の提供者のメールアドレスが含まれる場合に、該メールアドレスを宛先とした電子メールによって、名刺入れ１００のユーザの個人情報を含むメッセージを送信する。情報送信部２１４は、電子メールの代わりに、電話番号を宛先としたＳＭＳ（ショートメッセージサービス）、又はＳＮＳの識別情報を宛先としたＳＮＳのメッセージを用いて、メッセージを送信してもよい。
【００７８】
図８は、本実施形態に係る名刺管理装置２００が名刺の提供者へ送信するメッセージＭの模式図である。メッセージＭは、名刺の提供者が有する通信端末によって受信され、通信端末の表示部上に表示される。名刺の提供者が有する通信端末は、名刺管理装置２００からメッセージＭを受信した場合に、名刺入れ１００のユーザから送信されたことを示すメッセージＭ１と、名刺入れ１００のユーザの個人情報Ｍ２とを表示させる。これにより名刺の提供者は、名刺入れ１００のユーザの情報を電子データの状態で受け取ることができ、名刺入れ１００のユーザの名刺を登録する手間を削減できる。
【００７９】
本実施形態に係る名刺管理装置２００は、図５に示す具体的な構成に限定されない。名刺管理装置２００は、１つの装置に限られず、２つ以上の物理的に分離した装置が有線又は無線で接続されることにより構成されてもよい。
【００８０】
名刺管理装置２００の各機能は、名刺入れ１００に内蔵されてもよい。この場合には、名刺入れ１００の制御部１１０は、名刺の画像の送受信を行うことなく、名刺の画像に基づいて文字情報を取得し、さらに文字情報に基づいて付加情報を取得して表示部１３０に表示させる表示制御装置として機能する。
【００８１】
［名刺管理方法のシーケンス］
図９は、本実施形態に係る名刺管理システムＳが行う名刺管理方法のシーケンス図である。まず名刺入れ１００において、読取制御部１１１は、読取部１２０に、名刺入れ１００に収容された名刺を撮像して読み取らせる制御を行う（Ｓ１１）。読取制御部１１１は、読取部１２０が撮像した内容を画像として取得し、記憶部１５０に記憶させる。画像送信部１１２は、ステップＳ１１で読取部１２０が読み取った名刺の画像を記憶部１５０から読み出し、通信部１６０を介して名刺管理装置２００に送信する（Ｓ１２）。
【００８２】
名刺管理装置２００において、画像受信部２１１は、名刺入れ１００から送信された名刺の画像を、通信部２６０を介して受信し、記憶部２５０に記憶させる。文字情報取得部２１２は、画像受信部２１１が受信した名刺の画像を記憶部２５０から読み出し、読み出した画像から名刺に記載された文字を示す文字情報を取得する（Ｓ１３）。
【００８３】
付加情報取得部２１３は、ステップＳ１３で文字情報取得部２１２が取得した文字情報に基づいて、文字情報に関連する付加情報を取得する（Ｓ１４）。情報送信部２１４は、ステップＳ１３〜Ｓ１４で文字情報取得部２１２及び付加情報取得部２１３が取得した文字情報及び付加情報を、通信部２６０を介して名刺入れ１００に送信する（Ｓ１５）。
【００８４】
さらに情報送信部２１４は、ステップＳ１３で文字情報取得部２１２が取得した文字情報に名刺の提供者のメールアドレス等の宛先が含まれる場合に、該宛先に名刺入れ１００のユーザの個人情報を含むメッセージを送信する（Ｓ１６）。
【００８５】
名刺入れ１００において、文字情報受信部１１３は、名刺管理装置２００から送信された文字情報を、通信部１６０を介して受信し、記憶部１５０に記憶させる。また、付加情報受信部１１４は、名刺管理装置２００から送信された付加情報を、通信部１６０を介して受信し、記憶部１５０に記憶させる。そして表示制御部１１５は、文字情報受信部１１３及び付加情報受信部１１４が受信した文字情報及び付加情報を、表示部１３０に表示する制御を行う（Ｓ１７）。
【００８６】
［本実施形態の第１の変形例］
上述の名刺管理システムＳでは、名刺入れ１００に設けられた表示部１３０が各種情報を表示するが、名刺入れ１００の外部の表示装置が各種情報を表示してもよい。図１０は、本実施形態の変形例に係る名刺管理システムＳの模式図である。名刺管理システムＳは、上述の名刺入れ１００及び名刺管理装置２００に加えて、名刺入れ１００の外部の表示装置としての通信端末３００を含む。
【００８７】
通信端末３００は、名刺入れ１００及び名刺管理装置２００と通信を行うことが可能な通信装置であり、例えばスマートフォン等の携帯端末やパーソナルコンピュータである。通信端末３００は、液晶ディスプレイ、有機エレクトロルミネッセンスディスプレイ等の表示装置を含む表示部３１０を有する。通信端末３００は、名刺入れ１００又は名刺管理装置２００とネットワークＮを介して通信を行ってもよく、あるいは名刺入れ１００又は名刺管理装置２００と直接Ｂｌｕｅｔｏｏｔｈ（登録商標）等の近距離無線通信を行ってもよい。
【００８８】
名刺管理装置２００には、名刺入れ１００のユーザが所有する通信端末３００が予め関連付けられている。名刺管理装置２００の情報送信部２１４は、文字情報取得部２１２が取得した文字情報及び付加情報取得部２１３が取得した付加情報を、通信端末３００へ送信する。そして通信端末３００は、図６及び図７と同様の情報を、表示部３１０に表示させる。このような構成によれば、名刺入れ１００に表示部を設ける必要がないため、名刺入れ１００を軽量化することができる。
【００８９】
［本実施形態の第２の変形例］
上述の名刺管理システムＳにおいて、付加情報取得部２１３は、名刺に記載された文字情報又はＳＮＳ等の外部システムの情報に基づいて共通点情報を取得しているが、名刺管理システムＳに予め登録された各ユーザのプロフィール情報に基づいて共通点情報を取得してもよい。
【００９０】
図１１は、記憶部２５０に記憶されているユーザのプロフィール情報Ｄの模式図である。図１１においてプロフィール情報Ｄは視認性のために文字列で表されているが、各データは任意の形式で記録されてもよく、例えば文字列データ、数値データおよびバイナリデータのいずれでもよい。プロフィール情報Ｄは、データベースとして記録されてもよく、あるいはデータを列挙したリストとして記録されてもよい。
【００９１】
プロフィール情報Ｄは、公開情報Ｄ１と、非公開情報Ｄ２を含む。公開情報Ｄ１は、名刺を交換した相手のプロフィール情報Ｄによらず、相手に開示されるユーザに関する情報である。非公開情報Ｄ２は、名刺を交換した相手のプロフィール情報Ｄと共通の場合にのみ、相手に開示されるユーザに関する情報である。例えばユーザは、相手によらず開示してよい情報を公開情報Ｄ１に設定し、共通する趣味等を有する相手にのみ開示したい情報を非公開情報Ｄ２に設定する。
【００９２】
プロフィール情報Ｄは、ユーザによって入力され、ユーザを識別するための識別情報であるユーザＩＤに関連付けられて予め記憶部２５０に記憶される。ユーザＩＤは、ユーザの名刺に記載された文字情報（氏名、電話番号、メールアドレス等）に予め関連付けられている。ユーザＩＤは、ユーザの名刺に記載された文字情報そのものであってもよい。プロフィール情報Ｄは、名刺入れ１００上で入力されてもよく、あるいは名刺入れ１００と関連付けられた通信端末上で入力されてもよい。
【００９３】
付加情報取得部２１３は、記憶部２５０に記憶された名刺入れ１００のユーザ（第１ユーザ）のプロフィール情報及び文字情報取得部２１２が今回取得した文字情報に関連付けられたユーザ（すなわち第１ユーザに名刺を提供した第２ユーザ）のプロフィール情報に基づいて、付加情報を取得する。
【００９４】
具体的には、付加情報取得部２１３は、名刺入れ１００に設定されたユーザＩＤを用いて、第１ユーザのプロフィール情報を、記憶部２５０から取得する。また、付加情報取得部２１３は、文字情報取得部２１２が今回取得した文字情報に関連付けられたユーザＩＤを用いて、第２ユーザのプロフィール情報を記憶部２５０から取得する。
【００９５】
付加情報取得部２１３は、第２ユーザのプロフィール情報が示す非公開情報のうち、第１ユーザのプロフィール情報が示す非公開情報と共通の非公開情報を、共通点情報として取得する。例えば第１ユーザの非公開情報が「アニメ」を含み、かつ第２ユーザの非公開情報が「アニメ」を含む場合に、付加情報取得部２１３は共通点情報として「アニメ」を取得する。付加情報取得部２１３は、ユーザ間で同一の非公開情報だけでなく、ユーザ間で類似する非公開情報を、共通点情報として取得してもよい。
【００９６】
付加情報取得部２１３は、ユーザ間で名刺が交換された場合のみ、共通点情報の取得を行ってもよい。記憶部２５０に記憶された文字情報の取得時刻（登録時刻）は、名刺入れ１００が名刺を読み取った時刻に対応する。そこで付加情報取得部２１３は、記憶部２５０に記憶された文字情報の取得時刻に基づいて、第１ユーザの名刺入れ１００が第２ユーザの名刺を読み取った時刻と、第２ユーザの名刺入れ１００が第１ユーザの名刺を読み取った時刻との間の差が所定時間以内（例えば５分以内）である場合に、第１ユーザと第２ユーザとが名刺を交換したと判定する。
【００９７】
付加情報取得部２１３は、第１ユーザ及び第２ユーザが名刺を交換したと判定した場合に、第１ユーザ及び第２ユーザの間で共通する非公開情報を共通点情報として取得する。これにより、第三者がユーザの名刺を取得したとしても、ユーザの名刺入れ１００が第三者の名刺を読み取らない限りユーザの非公開情報は第三者に公開されないため、ユーザの非公開情報が意図せず閲覧されることを抑制できる。
【００９８】
付加情報取得部２１３は、第１ユーザ及び第２ユーザがそれぞれ名刺入れ１００に名刺を読み取らせる際の操作が所定の条件を満たす場合に、非公開情報の取得を行ってもよい。この場合に、第１ユーザ及び第２ユーザが有するそれぞれの名刺入れ１００は、操作部１４０として、非公開情報の提供を許可する又は許可しない操作を行うためのボタン又はスイッチを有する。第１ユーザ及び第２ユーザは、名刺の提供者に非公開情報の提供を許可する場合に、名刺入れ１００の読取部１２０に名刺を読み取らせる際に、ボタン又はスイッチに対して所定の操作を行う。あるいは第１ユーザ及び第２ユーザは、名刺の提供者に非公開情報の提供を許可しない場合に、名刺入れ１００の読取部１２０に名刺を読み取らせる際に、ボタン又はスイッチに対して所定の操作を行う。上記所定の操作を行うタイミングは、名刺の読み取り開始前、読み取り開始後から読み取り終了までの間、読み取り終了後のいずれであってもよい。
【００９９】
名刺入れ１００は、読取部１２０が名刺を読み取っている際に第１ユーザ及び第２ユーザが操作部１４０上で行った操作を、通信部１６０を介して名刺管理装置２００に送信する。付加情報取得部２１３は、第１ユーザの名刺入れ１００及び第２ユーザの名刺入れ１００から受信した操作が所定の条件を満たす場合（例えば、非公開情報の提供を許可する操作が行われた場合、又は非公開情報の提供を許可しない操作が行われなかった場合）に、付加情報取得部２１３は、第１ユーザ及び第２ユーザの間で共通の非公開情報を取得する。これにより、名刺管理システムＳは、名刺を交換した２人のユーザが非公開情報の提供を許可した場合にのみ、２人のユーザの間で共通の非公開情報を開示できる。
【０１００】
付加情報取得部２１３は、このように取得した共通点情報を付加情報として取得する。付加情報取得部２１３は、共通点情報に加えて、プロフィール情報が示す公開情報を付加情報として取得してもよい。
【０１０１】
情報送信部２１４は、付加情報取得部２１３が取得した付加情報を、通信部２６０を介して名刺入れ１００に送信する。名刺入れ１００は、名刺管理装置２００から受信した付加情報に基づいて、図７（ｂ）のように共通点情報を表示部１３０に表示させる。
【０１０２】
本変形例に係る名刺管理システムＳによれば、ユーザが不特定の相手に開示したくない趣味等を非公開情報として設定し、自分の非公開情報と共通の非公開情報を設定した相手にのみ、非公開情報を開示できる。これにより、ユーザは、自身のプロフィール情報の公開を制限しながら、相手とのコミュニケーションを円滑化できる。また、ユーザが多数の趣味等を有する場合にそれらの全てを相手に開示すると情報過多になり得るが、名刺管理システムＳは、非公開情報のうちユーザと相手との間で共通の部分のみを開示するため、ユーザ間で開示される情報の量を抑制することができる。
【０１０３】
［本実施形態の効果］
本実施形態に係る名刺管理システムＳにおいて、名刺入れ１００は収容部１０３に収容された状態の名刺を読み取ることができるため、読み取りのためにわざわざ名刺を出し入れする必要がない。そのため、名刺に係る情報を登録するための手間を削減することができる。
【０１０４】
また、名刺管理装置２００は、名刺に記載された文字情報だけでなく、文字情報に関連する付加情報を、名刺入れ１００又は外部の表示部に表示できる。例えば名刺入れ１００のユーザは、今回読み取った名刺の提供者と同じ所属の人から過去に名刺を受け取っていた場合に、その旨を示す履歴情報を付加情報として得ることができる。また、例えば名刺入れ１００のユーザは、今回読み取った名刺の提供者と自身の間に共通点が存在する場合に、共通点の内容を示す共通点情報を付加情報として得ることができる。これにより、名刺入れ１００のユーザはその場で名刺交換の相手に関連する情報を知ることができるため、コミュニケーションの円滑化を図ることができる。
【０１０５】
（第２の実施形態）
第１の実施形態に係る名刺管理システムＳは、名刺の画像に対して文字認識処理を行うことによって文字情報を取得するのに対して、本実施形態に係る名刺管理システムＳは、名刺の画像を予め登録された画像とマッチングすることによって文字情報を取得する。以下では第１の実施形態と異なる点を主に説明する。
【０１０６】
［名刺管理装置２００の構成］
図１２は、本実施形態に係る名刺管理装置２００のブロック図である。本実施形態に係る名刺管理装置２００の制御部２１０は、図５の構成に加えて、画像比較部２１５をさらに有する。名刺管理装置２００の記憶部２５０は、名刺入れ１００を有する各ユーザの名刺に記載された文字情報と、各ユーザの名刺の画像（登録画像）と、各ユーザのプロフィール情報とを関連付けて予め記憶する。
【０１０７】
図１３は、記憶部２５０に記憶されているユーザの名刺の画像Ｐを示す図である。名刺の画像Ｐは、ユーザの名刺入れ１００によって撮像されてもよく、あるいはユーザが有する通信端末やカメラによって撮像されてもよい。ユーザの名刺の画像Ｐは、氏名、所属、住所、電話番号、メールアドレス等の文字情報を含む。記憶部２５０は、画像Ｐに代えて、画像Ｐに基づいて算出された特徴量（輪郭線等）を記憶してもよい。
【０１０８】
ユーザが名刺入れ１００を用いて名刺を撮像した際に、画像受信部２１１は、名刺入れ１００から送信された名刺の画像を、通信部２６０を介して受信し、記憶部２５０に記憶させる。画像比較部２１５は、画像受信部２１１が受信した名刺の画像（撮像画像）を記憶部２５０から読み出す。
【０１０９】
画像比較部２１５は、撮像画像を、記憶部２５０に記憶された各登録画像と比較し、撮像画像に類似する登録画像を特定する。具体的には、画像比較部２１５は、撮像画像と登録画像との間の類似の度合いを示す類似度を算出する。例えば画像比較部２１５は、撮像画像の各画素値と登録画像の各画素値との差に基づいて、類似度を算出する。画像比較部２１５は、撮像画像の特徴量及び登録画像の特徴量を算出し、算出したそれらの特徴量に基づいて、類似度を算出してもよい。そして画像比較部２１５は、類似度が所定の条件を満たす（例えば類似度が所定値以上である）登録画像を、撮像画像に類似する登録画像として特定する。
【０１１０】
あるいは画像比較部２１５は、予め名刺の画像を機械学習することによって得られた学習データに基づいて、撮像画像に類似する登録画像を特定してもよい。
【０１１１】
画像比較部２１５が撮像画像に類似する登録画像を特定できた場合に、文字情報取得部２１２は、画像比較部２１５が特定した撮像画像に類似する登録画像に関連付けられたユーザ（名刺の提供者）の文字情報を、記憶部２５０から取得する。そして文字情報取得部２１２は、取得した文字情報を、取得時刻（登録時刻）とともに記憶部２５０に記憶させる。このように、画像比較部２１５及び文字情報取得部２１２は、名刺の提供者が本実施形態に係る名刺管理システムＳを利用している場合に、名刺の画像を比較することによって名刺に記載された文字情報を特定するため、文字認識の誤りの影響を受けず、高精度に文字情報を取得できる。
【０１１２】
画像比較部２１５が撮像画像に類似する登録画像を特定できなかった場合に、文字情報取得部２１２は、第１の実施形態と同様に、撮像画像に対して文字認識処理を行うことによって文字情報を取得する。そして文字情報取得部２１２は、取得した文字情報を、取得時刻（登録時刻）とともに記憶部２５０に記憶させる。これにより文字情報取得部２１２は、名刺の提供者が本実施形態に係る名刺管理システムＳを利用していない場合であっても、文字認識によって名刺に記載された文字情報を取得できる。
【０１１３】
画像比較部２１５が撮像画像に類似する登録画像を特定できた場合に、付加情報取得部２１３は、第１の実施形態の第２の変形例のように、図１１に示すプロフィール情報に基づいて付加情報を取得する。具体的には、付加情報取得部２１３は、名刺入れ１００に設定されたユーザＩＤを用いて、名刺入れ１００に関連付けられたユーザ（第１ユーザ）のプロフィール情報を、記憶部２５０から取得する。また、付加情報取得部２１３は、撮像画像に類似する登録画像に基づいて特定されたユーザＩＤを用いて、撮像画像に類似する登録画像に関連付けられたユーザ（すなわち提供された名刺に関連付けられた第２ユーザ）のプロフィール情報を、記憶部２５０から取得する。本実施形態では、ユーザＩＤは、ユーザの名刺の画像に予め関連付けられている。
【０１１４】
付加情報取得部２１３は、第１ユーザのプロフィール情報及び第２ユーザのプロフィール情報に基づいて、付加情報を取得する。本実施形態において、プロフィール情報は、図１１に示す公開情報及び非公開情報に加えて、紹介情報を含む。紹介情報は、他のユーザによるユーザの紹介を示す情報である。紹介情報は、文字列や点数等によって表される。他のユーザは、ユーザと名刺を交換した際に、ユーザに関する紹介情報を設定する。紹介情報は、ユーザと名刺を交換した他のユーザによって入力され、記憶部２５０に記憶される。
【０１１５】
付加情報取得部２１３は、撮像画像に類似する登録画像に関連付けられたユーザのプロフィール情報が示す公開情報及び紹介情報を取得する。また、付加情報取得部２１３は、第１ユーザ及び第２ユーザの間で共通の非公開情報を、共通点情報として取得する。付加情報取得部２１３は、共通点情報を取得するために、例えば第１の実施形態の第２の変形例と同様の方法を用いる。
【０１１６】
情報送信部２１４は、文字情報取得部２１２が取得した文字情報を、通信部２６０を介して名刺入れ１００に送信する。また、情報送信部２１４は、付加情報取得部２１３が取得した公開情報、共通点情報及び紹介情報を、付加情報として通信部２６０を介して名刺入れ１００に送信する。
【０１１７】
図１４（ａ）は、文字情報を表示している状態の名刺入れ１００の表示部１３０の前面図である。名刺入れ１００は、名刺管理装置２００から受信した文字情報１３２を表示部１３０に表示させる。名刺入れ１００は、図１４（ａ）に示す画面の表示中にユーザが操作部１４０を用いて所定の操作（例えばボタン押下）を行った場合に、図１４（ｂ）に示す画面へ遷移する。
【０１１８】
図１４（ｂ）は、付加情報を表示している状態の名刺入れ１００の表示部１３０の前面図である。名刺入れ１００は、名刺管理装置２００から受信した付加情報が示す公開情報１３７、共通点情報１３８及び紹介情報１３９を、表示部１３０に表示させる。これにより名刺入れ１００のユーザは、今回読み取った名刺の提供者のプロフィール情報を参照できる。
【０１１９】
特にユーザは、名刺の提供者の共通点情報１３８を参照することによって、名刺の提供者が自分と同じ趣味等を有していることを知ることができ、名刺交換時の会話が円滑になる。また、ユーザは、名刺の提供者に対する他のユーザによる紹介情報１３９を参照することによって、名刺の提供者が該他のユーザと関係があることを知ることができる。
【０１２０】
さらに名刺入れ１００は、ユーザから紹介情報の入力を受け付けてもよい。この場合に、名刺入れ１００は、図１４（ｂ）に示すように、紹介情報の入力欄を表示部１３０に表示させる。名刺入れ１００は、名刺入れ１００の操作部１４０によって紹介情報の入力を受け付けてもよく、あるいは名刺入れ１００に関連付けられた通信端末によって紹介情報の入力を受け付けてもよい。
【０１２１】
名刺入れ１００は、ユーザによって入力された紹介情報を、通信部１６０を介して名刺管理装置２００に送信する。名刺管理装置２００は、名刺の提供者のプロフィール情報に名刺入れ１００から受信した紹介情報を追加して、記憶部２５０に記憶させる。
【０１２２】
［名刺管理方法のフロー］
図１５は、本実施形態に係る名刺管理装置２００が行う名刺管理方法のフローチャートを示す図である。ユーザが名刺入れ１００を用いて名刺を撮像した際に、画像受信部２１１は、名刺入れ１００から送信された名刺の画像（撮像画像）を、通信部２６０を介して受信し（Ｓ２１）、記憶部２５０に記憶させる。
【０１２３】
画像比較部２１５は、画像受信部２１１が受信した撮像画像を、記憶部２５０に記憶された各登録画像と比較する（Ｓ２２）。そして画像比較部２１５は、撮像画像に類似する登録画像を特定する（Ｓ２３）。
【０１２４】
画像比較部２１５が撮像画像に類似する登録画像を特定できた場合に（Ｓ２４のＹＥＳ）、文字情報取得部２１２は、画像比較部２１５が特定した撮像画像に類似する登録画像に関連付けられたユーザ（名刺の提供者）の文字情報を、記憶部２５０から取得する（Ｓ２５）。
【０１２５】
付加情報取得部２１３は、名刺入れ１００のユーザのプロフィール情報と、撮像画像に類似する登録画像に関連付けられたユーザのプロフィール情報とを、記憶部２５０から取得する（Ｓ２６）。そして付加情報取得部２１３は、名刺入れ１００のユーザのプロフィール情報及び撮像画像に類似する登録画像に関連付けられたユーザのプロフィール情報に基づいて、付加情報を取得する。
【０１２６】
具体的には、付加情報取得部２１３は、撮像画像に類似する登録画像に関連付けられたユーザのプロフィール情報が示す公開情報及び紹介情報を取得する（Ｓ２７）。また、付加情報取得部２１３は、撮像画像に類似する登録画像に関連付けられたユーザのプロフィール情報が示す非公開情報のうち、名刺入れ１００のユーザのプロフィール情報が示す非公開情報と共通の非公開情報を、共通点情報として取得する（Ｓ２８）。
【０１２７】
情報送信部２１４は、文字情報取得部２１２及び付加情報取得部２１３が取得した文字情報及び付加情報を、通信部２６０を介して名刺入れ１００に送信する（Ｓ２９）。
【０１２８】
画像比較部２１５が撮像画像に類似する登録画像を特定できなかった場合に（Ｓ２４のＮＯ）、文字情報取得部２１２は、撮像画像に対して文字認識処理を行うことによって文字情報を取得する（Ｓ３０）。情報送信部２１４は、文字情報取得部２１２が取得した文字情報を、通信部２６０を介して名刺入れ１００に送信する（Ｓ３１）。
【０１２９】
［本実施形態の効果］
本実施形態に係る名刺管理システムＳによれば、名刺の提供者が名刺管理システムＳを利用している場合に、名刺管理装置２００は、名刺の画像を比較することによって名刺に記載された文字情報を特定するため、文字認識の誤りの影響を受けず、高精度に文字情報を取得できる。
【０１３０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【０１３１】
名刺入れ１００及び名刺管理装置２００のプロセッサは、図９、１５に示す名刺管理方法に含まれる各ステップ（工程）の主体となる。すなわち、名刺入れ１００及び名刺管理装置２００のプロセッサは、図９、１５に示す名刺管理方法を実行するためのプログラムを記憶部から読み出し、該プログラムを実行して名刺入れ１００及び名刺管理装置２００の各部を制御することによって、図９、１５に示す名刺管理方法を実行する。図９、１５に示す名刺管理方法に含まれるステップは一部省略されてもよく、ステップ間の順番が変更されてもよく、複数のステップが並行して行われてもよい。
【符号の説明】
【０１３２】
Ｓ  名刺管理システム
１００  名刺入れ
１０３  収容部
１１０  制御部
１１２  画像送信部
１１３  文字情報受信部
１１４  付加情報受信部
１２０  読取部
１３０  表示部
２００  名刺管理装置
２１０  制御部
２１１  画像受信部
２１２  文字情報取得部
２１３  付加情報取得部
２１４  情報送信部
２１５  画像比較部
２５０  記憶部
３００  通信端末
３１０  表示部
【図１】
2020100146.tif 000003
【図２】
2020100146.tif 000004
【図３】
2020100146.tif 000005
【図４】
2020100146.tif 000006
【図５】
2020100146.tif 000007
【図６】
2020100146.tif 000008
【図７】
2020100146.tif 000009
【図８】
2020100146.tif 000010
【図９】
2020100146.tif 000011
【図１０】
2020100146.tif 000012
【図１１】
2020100146.tif 000013
【図１２】
2020100146.tif 000014
【図１３】
2020100146.tif 000015
【図１４】
2020100146.tif 000016
【図１５】
2020100146.tif 000017